(57)【要約】【課題】鉄筋の固定作業を簡単にかつ短時間で行なうことができるようにした土砂崩れ防止用金網ユニットを提供する。【解決手段】土砂崩れ防止用金網ユニット５０は、第１および第２のネットコネクタ４１，４３と、鉄筋５３と、鉄筋５３を第１および第２ネットコネクタに固定するための鉄筋固定部材６０とを備える。鉄筋固定部材６０は、その両端が第１および第２ネットコネクタ４１，４３を越えて延びる長さを有している。この鉄筋固定部材６０は、第１および第２ネットコネクタ４１，４３の左下のコーナー部に係合して位置する第１および第２係合部６１，６２と、右上のコーナー部に位置して鉄筋を弾性的に固定保持する弾性固定部６３，６４とを含む。【選択図】　　　　図９
2004027487.tif 000002
【特許請求の範囲】
【請求項１】
第１および第２の金網と、
前記第１および第２の金網の間に位置して両金網の間隔を一定に保つものであり、両端が前記第１および第２の金網に連結される横棒と、前記横棒に対して交差するように配置され交差部で前記横棒に固定される縦棒とを有する第１および第２のネットコネクタと、
前記各ネットコネクタの前記横棒と縦棒との交差部に連結された状態で前記第１および第２の金網の間を延びる鉄筋とを備えた土砂崩れ防止用金網ユニットにおいて、
前記鉄筋を前記第１および第２ネットコネクタに固定するための鉄筋固定部材を備え、
前記鉄筋固定部材は、その両端が、離隔した前記第１および第２ネットコネクタを越えて延びる長さを有しており、
前記鉄筋固定部材は、前記第１ネットコネクタの交差部にある４個のコーナー部の内の一つに係合して位置する第１係合部と、前記第２ネットコネクタの交差部にある４個のコーナー部の内の一つに係合して位置する第２係合部と、前記第１および第２係合部の間に位置して前記鉄筋を前記第１および第２係合部が係合しているコーナー部と対向するコーナー部に弾性的に固定保持する弾性固定部とを含むことを特徴とする、土砂崩れ防止用金網ユニット。
【請求項２】
前記弾性固定部は、前記第１ネットコネクタの近傍で前記鉄筋を弾性的に固定保持する第１弾性固定部と、前記第２ネットコネクタの近傍で前記鉄筋を弾性的に固定保持する第２弾性固定部とを含む、請求項１に記載の土砂崩れ防止用金網ユニット。
【請求項３】
前記第１および第２ネットコネクタの間に中間ネットコネクタを備え、
前記鉄筋固定部材は、前記中間ネットコネクタの交差部にある４個のコーナー部の内、前記鉄筋が位置するコーナー部に対して側方に隣接するコーナー部に位置する中間係合部と、前記鉄筋の外面に係合してこの鉄筋を前記中間係合部に近づけるように弾性的に付勢する中間弾性固定部とを含む、請求項１または２に記載の土砂崩れ防止用金網ユニット。
【請求項４】
前記弾性固定部と、前記各係合部とは、Ｖ字形状または逆Ｖ字形状の連結部によって連結されている、請求項１〜３のいずれか１項に記載の土砂崩れ防止用金網ユニット。
【発明の詳細な説明】
【０００１】
【発明の属する技術分野】
この発明は、土砂崩れ防止用金網に関し、より特定的には、コンクリートを受け入れて固めることによって斜面の土砂崩れを防止するための土砂崩れ防止用金網ユニットに関するものである。
【０００２】
【従来の技術】
山の急斜面などに、土砂崩れを防ぐためのコンクリートが敷設されることがある。図１は、山の斜面にコンクリートを敷設した状態を示している。一般的には、コンクリート３０の強度確保などの目的から、コンクリート３０の表面は、凹部３０ｂと凸部３０ａとを有する凹凸形状とされる。
【０００３】
コンクリート３０を上記のように凹凸形状にするために、コンクリート３０の凸部３０ａの中には、金網が埋設される。
【０００４】
図２は、コンクリート３０中に埋設された金網を示している。図示するように、１対の金網１１０，１１０が所定の間隔で縦横に並ぶように配置されている。１対の金網１１０，１１０の全体構造は、図３に示すような多数の金網ユニット１０を組み合わせて作られる。
【０００５】
図３に示すように、土砂崩れ防止用金網ユニット１０は、第１金網１と、第２金網２と、両金網１，２の間に位置して両金網の間隔を一定に保つネットコネクタ２０と、図４に示す鉄筋３とを備える。第１および第２金網１，２は、典型的にはクリンプ金網である。
【０００６】
図３および図４に示すように、ネットコネクタ２０は、上横棒２１と、下横棒２２と、左縦棒２３と、右縦棒２４とを有する。上下の横棒２１，２２は金属製の棒材であり、その両端が第１および第２金網１，２に連結されている。左右の縦棒２３，２４も金属製の棒材であり、上下の横棒２１，２２に交差するように配置されている。横棒２１，２２と、縦棒２３，２４とは、それらの交差部で溶接されることによって、互いの位置関係が固定される。
【０００７】
図３および図４に示したネットコネクタ２０は、２本の平行な横棒２１，２２と２本の平行な縦棒２３，２４とを備えたものであるが、２本の平行な横棒とそれらに交差する１本の縦棒とから構成されるものもある。
【０００８】
土砂崩れ防止用金網ユニット１０は、図３に示すように、複数のネットコネクタ２０を所定の間隔で配置させている。金網ユニット１０の構造を強固にするために、横棒２１，２２と縦棒２３，２４との交差部に鉄筋３を配置する。鉄筋３は複数のネットコネクタ２０を連結するように、すなわち図４において紙面に対して垂直な方向に延びている。
【０００９】
図４に示した構造では、４本の鉄筋が用いられているが、それらの固定は、次のようにして行う。まず、法面に２本の下鉄筋３を設置する。次に、２本の下鉄筋３の上に図３に示す金網ユニット１０を置く。次に、下鉄筋３を持ち上げて横棒２２と縦棒２３，２４との交差部に位置させ、その位置で鉄筋３と交差部とを細いワイヤ４で巻き付けて固定する。次に、上鉄筋３を横棒２１と縦棒２３，２４との交差部に位置させ、その位置で鉄筋３と交差部とを細いワイヤ４で巻き付けて固定する。
【００１０】
【発明が解決しようとする課題】
従来の土砂崩れ防止用金網ユニット１０においては、細いワイヤ４を用いて鉄筋３を交差部に巻き付けて固定している。図４に示した形状のネットコネクタ２０の場合、１個のネットコネクタ２０に対して４回の巻き付け作業を行わなければならない。金網ユニット１０は、複数のネットコネクタ２０を備えているので、１個の金網ユニット１０に対して鉄筋３の巻き付け作業の回数は非常に多くなる。
【００１１】
また、上記の巻き付け作業は急な斜面上で行うものであるので、巻き付け力が弱いと鉄筋が滑り落ちてしまう危険性がある。そのため、慎重かつ確実な巻き付け作業が要求される。上記のような巻き付け作業は作業者にとって非常に煩雑である。また、多くの作業時間を必要とするので、結果として工期の長期化につながる。
【００１２】
この発明は、上記の課題を解決するためになされたものであり、その目的は、鉄筋の固定作業を簡単にかつ短時間で行うことができるようにした土砂崩れ防止用金網ユニットを提供することである。
【００１３】
【課題を解決するための手段】
この発明に従った土砂崩れ防止用金網ユニットは、前提要件として、第１および第２の金網と、ネットコネクタと、鉄筋とを備える。ネットコネクタは、第１および第２の金網の間に位置して両金網の間隔を一定に保つものであり、両端が第１および第２の金網に連結される横棒と、横棒に対して交差するように配置され交差部で横棒に固定される縦棒とを有する。ネットコネクタは、離隔して位置する第１ネットコネクタおよび第２ネットコネクタを含む。鉄筋は、各ネットコネクタの横棒と縦棒との交差部に連結された状態で第１および第２の金網の間を延びている。
【００１４】
上記のような土砂崩れ防止用金網ユニットにおいて、この発明の特徴は以下の点にある。すなわち、土砂崩れ防止用金網ユニットは、鉄筋を第１および第２ネットコネクタに固定するための鉄筋固定部材を備える。この鉄筋固定部材は、その両端が、離隔した第１および第２ネットコネクタを越えて延びる長さを有している。また、鉄筋固定部材は、第１ネットコネクタの交差部にある４個のコーナー部の内の一つに係合して位置する第１係合部と、第２ネットコネクタの交差部にある４個のコーナー部の内の一つに係合して位置する第２係合部と、第１および第２係合部の間に位置して鉄筋を第１および第２係合部が係合しているコーナー部と対向するコーナー部に弾性的に固定保持する弾性固定部とを含む。
【００１５】
上記構成によれば、鉄筋の固定作業を非常に簡単にかつ短時間で行なうことができる。すなわち、鉄筋固定部材の弾性固定部によって鉄筋を抱え込むように操作するだけで、鉄筋をネットコネクタの交差部に弾性的に固定保持することができる。
【００１６】
好ましくは、弾性固定部は、第１ネットコネクタの近傍で鉄筋を弾性的に固定保持する第１弾性固定部と、第２ネットコネクタの近傍で鉄筋を弾性的に固定保持する第２弾性固定部とを含む。このようにすれば、鉄筋を離れた２ヶ所で固定保持するようになるので、固定保持構造が強固となる。
【００１７】
好ましくは、土砂崩れ防止用金網ユニットは、第１および第２ネットコネクタの間に中間ネットコネクタを備える。この場合、鉄筋固定部材は、中間ネットコネクタの交差部にある４個のコーナー部の内、鉄筋が位置するコーナー部に対して側方に隣接するコーナー部に位置する中間係合部と、鉄筋の外面に係合してこの鉄筋を中間係合部に近づけるように弾性的に付勢する中間弾性固定部とを含む。このようにすれば、弾性固定部に加えて中間弾性固定部によっても鉄筋をネットコネクタの交差部に向けて付勢するようになるので、鉄筋の固定保持構造がより強固になる。
【００１８】
好ましくは、弾性固定部と、各係合部とは、Ｖ字形状または逆Ｖ字形状の連結部によって連結されている。このような形状の連結部であれば、弾性固定部は、異なった直径の鉄筋に対しても安定した弾性力を発揮する。
【００１９】
【発明の実施の形態】
図５は、本願発明の一実施形態の要部を示している。図示するように、土砂崩れ防止用金網ユニット５０は、図４に示した従来のユニット１０と同様に、第１金網５１と、第２金網５２と、ネットコネクタ４１，４２，４３と、鉄筋５３とを備える。各ネットコネクタは、上横棒４４と、下横棒４５と、左縦棒４６と、右縦棒４７とを有する。上下の横棒４４，４５の両端は第１および第２金網５１，５２に連結されている。横棒４４，４５と、縦棒４６，４７とは、それらの交差部で溶接されることによって、互いの位置関係が固定されている。
【００２０】
図５の金網ユニット５０が図４の金網ユニット１０と相違しているのは、鉄筋５３の固定構造にある。図５に示すように、４本の鉄筋５３のそれぞれは、鉄筋に沿って延びている鉄筋固定部材６０，７０，８０，９０によって、ネットコネクタ４１，４２，４３の交差部に固定保持されている。
【００２１】
図６は、ネットコネクタ４１，４２，４３の上方の交差部に位置する鉄筋固定部材６０，７０を示し、図７は、ネットコネクタ４１，４２，４３の下方の交差部に位置する鉄筋固定部材８０，９０を示している。図８は、左右に位置する鉄筋固定部材６０，７０を並べて示している。この図から明らかなように、左右の鉄筋固定部材６０，７０は、対称的な形状を有している。また、上方に位置する鉄筋固定部材６０，７０と、下方に位置する鉄筋固定部材８０，９０とは、実質的に同じ形状である。それらの鉄筋固定部材６０，７０，８０．９０は、実質的に同じ作用を果たすものであるので、以下には、代表的に鉄筋固定部材６０の説明をする。
【００２２】
図６および図８を参照して、鉄筋固定部材６０の構造を説明する。鉄筋固定部材６０は、両端に位置するネットコネクタ４１，４３を越えて延びる長さを有する金属製の棒状部材である。鉄筋固定部材６０の一方端はフック状に折り曲げられており、手前に位置するネットコネクタ４１の交差部のうち、左下コーナー部から右下コーナー部に回り込んでいる。また、鉄筋固定部材６０の他方端もフック状に折り曲げられており、最も奥に位置するネットコネクタ４３の左下コーナー部に入り込んでいる。
【００２３】
鉄筋固定部材６０の一方端においてネットコネクタ４１の左下コーナー部に位置する部分６１は、第１係合部を形成する。また、鉄筋固定部材６０の他方端においてネットコネクタ４３の左下コーナー部に位置する部分６２は、第２係合部を形成する。
【００２４】
鉄筋固定部材６０のうち、両端を除く残りの大部分の領域は、第１係合部６１および第２係合部６２が位置するコーナー部と対向するコーナー部、すなわちネットコネクタ４１，４３の右上コーナー部に位置する。この右上コーナー部に位置する領域は、鉄筋５３を弾性的に固定保持する弾性固定部を形成する。
【００２５】
図示した実施形態では、弾性固定部は、手前に位置するネットコネクタ４１の近傍で鉄筋５３を弾性的に固定保持する第１弾性固定部６３と、奥に位置するネットコネクタ４３の近傍で鉄筋５３を弾性的に固定保持する第２弾性固定部６４とを含む。
【００２６】
第１係合部６１と、第１弾性固定部６３とは、逆Ｖ字形状の連結部６７によって連結されている。同様に、第２係合部６２と、第２弾性固定部６４とは、逆Ｖ字形状の連結部６８によって連結されている。
【００２７】
鉄筋固定部材６０は、中間に位置するネットコネクタ４２の近傍で、内側に曲げられている。具体的には、鉄筋固定部材６０は、ネットコネクタ４２の交差部にある４個のコーナー部の内、鉄筋５３が位置するコーナー部（右上コーナー部）に対して側方に隣接するコーナー部（左上コーナー部）に位置する中間係合部６５と、ネットコネクタ４２の近傍において鉄筋５３の外面に係合してこの鉄筋を中間係合部６５に近づけるように弾性的に付勢する中間弾性固定部６６とを含む。中間係合部６５と、中間弾性固定部６６とは、逆Ｖ字形状の連結部６９によって連結されている。
【００２８】
図９および図１１は、鉄筋５３を固定保持する前の状態を示している。この状態では、鉄筋固定部材６０を、鉄筋５３を抱え込むための準備として僅かに反時計方向に回動させている。従って、鉄筋固定部材６０の第１弾性固定部６３、第２弾性固定部６４および中間弾性固定部６６は、図１１に示すように、鉄筋５３の上方部分に当接している。この状態から、図１０に示すように、両手の例えば親指で第１連結部６７および第２連結部６８を前方に押し込めば、第１弾性固定部６３、第２弾性固定部６４および中間弾性固定部６６は、それぞれ、鉄筋５３の最大直径部分を乗り越えて、鉄筋５３を外側から抱え込む位置にまで移動する。
【００２９】
図１２は、鉄筋固定部材６０の第１弾性固定部６３が鉄筋５３を弾性的に固定保持するまでの動作を図解的に示している。（ａ）は、フリーの状態の鉄筋固定部材６０を示している。フリーの状態での逆Ｖ字形状の連結部６７の屈曲角度を”ａ”とする。（ｂ）は、鉄筋５３を嵌め入れる前の状態を示している。この状態では、上横棒４４と第１弾性固定部６３との間の間隔は、鉄筋５３の直径よりも小さい。この状態から連結部６７を指で前方に押し込めば、連結部６７はその屈曲角度を大きくするように弾性変形し、第１弾性固定部６３が鉄筋５３の最大直径部分を乗り越える。（ｃ）は、鉄筋固定部材６０が鉄筋５３を弾性的に固定保持している状態を示している。
【００３０】
（ｃ）に示す状態では、鉄筋固定部材６０の第１係合部６１がネットコネクタ４１の左下コーナー部に係合し、右上コーナー部に位置する第１弾性固定部６３が鉄筋５３の外面に係合しこの鉄筋５３を矢印で示す方向に付勢している。この状態での連結部６７の屈曲角度”ｂ”は、（ａ）に示すフリーの状態での屈曲角度”ａ”よりも大きい。従って、連結部６７は元の屈曲角度”ａ”に戻ろうとする弾性力を発揮する。
【００３１】
図１２の（ｃ）に示す状態では、鉄筋５３が鉄筋固定部材６０の第１弾性固定部６３によってネットコネクタ４１の交差部に近づくように弾性的に押えつけられているので、鉄筋５３の上方および側方への移動を禁止できる。また、鉄筋５３の外面には通常円周方向に延びるリブが設けられているので、鉄筋固定部材６０の連結部６７と第１弾性固定部６３との連結部分がリブに係合し、鉄筋５３の軸方向への動きも禁止する。
【００３２】
第２係合部６２および第２弾性固定部６４の作用は、第１係合部６１および第１弾性固定部６３の動作と同じであるので、繰返しの説明を省略する。
【００３３】
図１３は、中間のネットコネクタ４２の近傍における鉄筋固定部材６０と鉄筋５３との係合状態を図解的に示している。この状態では、中間係合部６５がネットコネクタ４２の左上コーナー部に位置して右縦棒４７に当接している。中間弾性固定部６６はネットコネクタ４２の右上コーナー部に位置して鉄筋５３の外面を右縦棒４７に向かうように弾性的に付勢している。従って、鉄筋５３の横方向への動きは、禁止される。
【００３４】
以上の説明では、１本の鉄筋固定部材６０と鉄筋５３との係合状態に関するものであった。残りの３本の鉄筋固定部材７０，８０，９０と鉄筋５３との係合も実質的に同じであるので、その説明を省略する。なお、下方に位置する鉄筋固定部材８０，９０の場合、係合部と弾性固定部とを連結する連結部は、Ｖ字形状を有するものとなる。
【００３５】
また、図示した実施形態では、鉄筋固定部材は、中間に中間係合部と中間弾性固定部とを有するものであったが、必ずしもそのような中間係合部および中間弾性固定部を設けなくてもよい。
【００３６】
当然のことながら、ネットコネクタの数に制約はない。例えば、５個のネットコネクタを有するような金網ユニットであってもよい。この場合、４本の鉄筋の位置を互いにずらすように配置してもよい。例えば、上に位置する２本の鉄筋に注目すると、右側の鉄筋を手前の３個のネットコネクタに連結し、左側の鉄筋を奥の３個のネットコネクタに連結する。さらに、下に位置する２本の鉄筋に注目すると、右側の鉄筋を奥の３個のネットコネクタに連結し、左側の鉄筋を手前の３個のネットコネクタに連結する。
【００３７】
修正例または変形例として、いくつかを列挙して記載したが、上記以外にも、この発明と同一の範囲内において、または均等の範囲内において、種々の修正や変形が可能である。
【図面の簡単な説明】
【図１】山の斜面にコンクリートが敷設されている状態を示す図である。
【図２】土砂崩れ防止用金網の全体構造を示す図である。
【図３】従来の土砂崩れ防止用金網ユニットを示す斜視図である。
【図４】従来の土砂崩れ防止用金網ユニットを示す正面図である。
【図５】この発明の一実施形態を示す斜視図である。
【図６】ネットコネクタの上方に位置する鉄筋固定部材を示す斜視図である。
【図７】ネットコネクタの下方に位置する鉄筋固定部材を示す斜視図である。
【図８】左右に位置する鉄筋固定部材を並べて示す斜視図である。
【図９】鉄筋を鉄筋固定部材に嵌め入れる前の状態を示す斜視図である。
【図１０】鉄筋固定部材の連結部を指で押し込んでいる様子を示す斜視図である。
【図１１】鉄筋固定部材の第１係合部および第１弾性固定部と、鉄筋との係合前の状態を拡大して示す斜視図である。
【図１２】鉄筋固定部材の第１弾性固定部が鉄筋を固定保持するまでの動作を図解的に示す図である。
【図１３】鉄筋固定部材の中間弾性固定部が鉄筋を固定保持している状態を図解的に示す図である。
【符号の説明】
４１，４２，４３　ネットコネクタ、４４　上横棒、４５　下横棒、４６　左縦棒、４７　右縦棒、５０　土砂崩れ防止用金網ユニット、５１　第１の金網、５２　第２の金網、５３　鉄筋、６０，７０，８０、９０　鉄筋固定部材、６１第１係合部、６２　第２係合部、６３　第１弾性固定部、６４　第２弾性固定部、６５　中間係合部、６６　中間弾性固定部、６７　第１連結部、６８　第２連結部、６９　中間連結部。
【図１】
2004027487.tif 000003
【図２】
2004027487.tif 000004
【図３】
2004027487.tif 000005
【図４】
2004027487.tif 000006
【図５】
2004027487.tif 000007
【図６】
2004027487.tif 000008
【図７】
2004027487.tif 000009
【図８】
2004027487.tif 000010
【図９】
2004027487.tif 000011
【図１０】
2004027487.tif 000012
【図１１】
2004027487.tif 000013
【図１２】
2004027487.tif 000014
【図１３】
2004027487.tif 000015
【手続補正書】
【提出日】平成15年8月27日(2003.8.27)
【手続補正１】
【補正対象書類名】明細書
【補正対象項目名】請求項１
【補正方法】変更
【補正の内容】
【請求項１】
第１および第２の金網と、
前記第１および第２の金網の間に位置して両金網の間隔を一定に保つものであり、両端が前記第１および第２の金網に連結される横棒と、前記横棒に対して交差するように配置され交差部で前記横棒に固定される縦棒とを有する第１および第２のネットコネクタと、
前記各ネットコネクタの前記横棒と縦棒との交差部に連結された状態で前記第１および第２の金網の間を延びる鉄筋とを備えた土砂崩れ防止用金網ユニットにおいて、
前記鉄筋を前記第１および第２ネットコネクタに固定するための鉄筋固定部材を備え、
前記鉄筋固定部材は、その両端が、離隔した前記第１および第２ネットコネクタを越えて延びる長さを有しており、
前記鉄筋固定部材は、前記第１ネットコネクタの交差部にある４個のコーナー部の内の一つに係合して位置する第１係合部と、前記第２ネットコネクタの交差部にある４個のコーナー部の内の一つに係合して位置する第２係合部と、前記第１および第２係合部の間に位置して前記鉄筋を前記第１および第２係合部が係合しているコーナー部と対角線状に対向するコーナー部に弾性的に固定保持する弾性固定部とを含むことを特徴とする、土砂崩れ防止用金網ユニット。
【手続補正２】
【補正対象書類名】明細書
【補正対象項目名】００１４
【補正方法】変更
【補正の内容】
【００１４】
上記のような土砂崩れ防止用金網ユニットにおいて、この発明の特徴は以下の点にある。すなわち、土砂崩れ防止用金網ユニットは、鉄筋を第１および第２ネットコネクタに固定するための鉄筋固定部材を備える。この鉄筋固定部材は、その両端が、離隔した第１および第２ネットコネクタを越えて延びる長さを有している。また、鉄筋固定部材は、第１ネットコネクタの交差部にある４個のコーナー部の内の一つに係合して位置する第１係合部と、第２ネットコネクタの交差部にある４個のコーナー部の内の一つに係合して位置する第２係合部と、第１および第２係合部の間に位置して鉄筋を第１および第２係合部が係合しているコーナー部と対角線状に対向するコーナー部に弾性的に固定保持する弾性固定部とを含む。